(57)【特許請求の範囲】
【請求項１】
被包装物を包装する際に、被包装物を保持するとともに、被包装物に加わる衝撃を緩衝する機能を果たす、紙製ボード状材料を用いてなる紙製緩衝材であって、
緩衝材本体部と、
被包装物の底面の４つのコーナー部近傍領域と当接して、被包装物を底面側から支持する底面支持部と、
被包装物の両端面の下側両コーナー部近傍領域と当接して、一方の端面２箇所と他方の端面２箇所で、被包装物を端面側から保持する端面保持部と、
被包装物の両側面の下部領域と当接して、被包装物を側面側から保持する一対の側面保持部と
を具備し、かつ、
互いに対向する一対の辺側には、前記緩衝材本体部を構成する紙製ボード材料の一部を所定の折り曲げ線に沿って折り曲げ加工することにより形成された、側面保持部として機能する一対の略筒状部が配設されているとともに、前記略筒状部には、下記引出部の係合突起と係合する係合孔が形成されており、
前記底面支持部及び前記端面保持部は、それぞれ紙製ボード材料から形成されて前記緩衝材本体部に取り付けられており、かつ、
前記略筒状部と略直交する、互いに対向する他方の一対の辺側には、緩衝材本体部を構成する紙製ボード部材の一部である一対の帯状部を略垂直方向上向きに折り曲げることにより一対の側壁部が形成されているとともに、
前記一対の帯状部のそれぞれの略中央部から両端部にかけては、前記帯状部の幅方向に突出する、平面形状が略三角形の一対の引出部が形成されているとともに、前記引出部の先端側には、前記帯状部の長手方向外側に向かって突出した係合突起部が形成されており、
前記帯状部が略垂直方向上向きに折り曲げられ、かつ、前記引出部が略水平方向内側に折り曲げられた状態で、前記係合突起部が下向きに折り曲げられて、前記略筒状部の係合孔に係合することにより、前記引出部の、前記帯状部との境界をなす折り曲げ線（稜線）の両端部と、前記係合突起部が形成された部分を頂点とする三角形部分が補強部材としての機能を果たすことにより、全体が所定形状に保持されるように構成されているとともに、
前記引出部が、上方から被包装物を載置して、前記底面支持部，端面保持部，及び側面保持部に保持させる場合に、被包装物が所定の位置に載置されることを妨げないような形状に構成されていること
を特徴とする紙製緩衝材。
【請求項２】
前記底面保持部及び前記端面保持部がいずれも、少なくとも一部が紙製ボード状材料を複数枚積み重ねることにより形成されており、かつ、前記底面保持部の、被包装物の底面の４つのコーナー部近傍領域と当接する各部分、及び前記端面保持部の、被包装物の一方の端面の下側両コーナー部近傍領域と、他方の端面の下側両コーナー部近傍領域と当接する各部分が、前記緩衝材本体部とは別体として形成され、前記緩衝材本体部の所定の位置に取り付けられていることを特徴とする請求項１記載の紙製緩衝材。
【請求項３】
前記紙製ボード状材料が段ボール紙であることを特徴とする請求項１又は２記載の紙製緩衝材。
【請求項４】
被包装物を支持するとともに、被包装物の底面側を保護する底面側緩衝材と、被包装物の上面側に配設されて、被包装物の上面側を保護する上面側緩衝材とを用い、前記底面側緩衝材と前記上面側緩衝材との間に被包装物を挟み込むようにして保持する包装構造であって、
前記底面側緩衝材として、請求項１〜３のいずれかに記載の紙製緩衝材を用いること
を特徴とする包装構造。
【請求項５】
前記上面側緩衝材として、請求項１〜３の紙製緩衝材と略上下対称構造を有する紙製緩衝材を用いることを特徴とする請求項４記載の包装構造。
【請求項６】
前記底面側緩衝材と前記上面側緩衝材の間に被包装物を挟み込み、締結部材により締結したことを特徴とする請求項４又は５記載の包装構造。
【発明の詳細な説明】
【０００１】
【発明の属する技術分野】
本願発明は、被包装物を包装して保管したり搬送したりする途中で、被包装物が損傷を受けないようにするための紙製緩衝材及びそれを用いた包装構造に関する。
【０００２】
【従来の技術及び発明が解決しようとする課題】
例えば、ガス給湯器などの被包装物を搬送や保管のために包装する場合、従来は、包装材として、段ボール紙などの紙製ボード状材料からなる容器（段ボール箱）や、被包装物の所定の部分と段ボール箱の内壁との隙間を埋めるためのパッド（発泡スチロールなどを所定の形状に成形した成形体）などが用いられており、前記パッドは、段ボール箱内に被包装物を固定したり、被包装物の重量が段ボール箱の底面などに集中して加わることを防止したりする機能を果たすとともに、外部より加わる衝撃から被包装物を保護する機能を果たしている。
【０００３】
なお、図７は、従来の包装構造の一例を示す分解斜視図である。
この例において、被包装物（ガス給湯器）Ａを包装するために用いられている包装材Ｃは、ガス給湯器Ａの両端側及び底面側を保持するとともに、外部からの衝撃からガス給湯器を保護する機能を果たす、発泡スチロールなどからなる一対の緩衝パッド６０ａ，６０ｂと、緩衝パッド６０ａ，６０ｂにより両端部が保持された状態のガス給湯器Ａを収納する、段ボール紙製の包装用ケース本体７０と、ガス給湯器Ａの上面側を保護する発泡スチロールなどからなる２つの天当てパッド８０ａ，８０ｂと、ガス給湯器Ａが収められた包装用ケース本体７０を積み重ねた場合に、包装用ケース本体７０が押し潰されたりしないように補強するための支柱としての機能を果たす、段ボール紙を折り曲げ加工してなる一対の支持部材９０ａ，９０ｂを備えている。
【０００４】
上述のように、従来の包装材においては、発泡スチロールなどの樹脂からなる緩衝パッド６０ａ，６０ｂや天当てパッド８０ａ，８０ｂが用いられており、これらの部材は、使用後に、廃棄物として処理（例えば燃焼処理）される際に公害（例えば有害ガスの発生など）を引き起こし易いという問題点がある。そのため、公害問題や環境問題の発生しにくい包装材への要求が高まっている。
【０００５】
また、上記従来の包装材は、一対の緩衝パッド６０ａ，６０ｂ、包装用ケース本体７０、２つの天当てパッド８０ａ，８０ｂ、及び一対の支持部材９０ａ，９０ｂの合計７点の部品から構成されており、部品点数が多く、コストの増大を招くという問題点がある。
【０００６】
本願発明は、上記背景に鑑みてなされたものであり、廃棄処理される際に公害を発生するおそれのある樹脂を用いることなく、少ない部材で被包装物を容易かつ確実に包装して、被包装物を衝撃から保護することが可能な紙製緩衝材及びそれを用いた包装構造を提供することを目的とする。
【０００７】
【課題を解決するための手段】
上記目的を達成するために、本願発明（請求項１）の紙製緩衝材は、
被包装物を包装する際に、被包装物を保持するとともに、被包装物に加わる衝撃を緩衝する機能を果たす、紙製ボード状材料を用いてなる紙製緩衝材であって、
緩衝材本体部と、
被包装物の底面の４つのコーナー部近傍領域と当接して、被包装物を底面側から支持する底面支持部と、
被包装物の両端面の下側両コーナー部近傍領域と当接して、一方の端面２箇所と他方の端面２箇所で、被包装物を端面側から保持する端面保持部と、
被包装物の両側面の下部領域と当接して、被包装物を側面側から保持する一対の側面保持部と
を具備し、かつ、
互いに対向する一対の辺側には、前記緩衝材本体部を構成する紙製ボード材料の一部を所定の折り曲げ線に沿って折り曲げ加工することにより形成された、側面保持部として機能する一対の略筒状部が配設されているとともに、前記略筒状部には、下記引出部の係合突起と係合する係合孔が形成されており、
前記底面支持部及び前記端面保持部は、それぞれ紙製ボード材料から形成されて前記緩衝材本体部に取り付けられており、かつ、
前記略筒状部と略直交する、互いに対向する他方の一対の辺側には、緩衝材本体部を構成する紙製ボード部材の一部である一対の帯状部を略垂直方向上向きに折り曲げることにより一対の側壁部が形成されているとともに、
前記一対の帯状部のそれぞれの略中央部から両端部にかけては、前記帯状部の幅方向に突出する、平面形状が略三角形の一対の引出部が形成されているとともに、前記引出部の先端側には、前記帯状部の長手方向外側に向かって突出した係合突起部が形成されており、
前記帯状部が略垂直方向上向きに折り曲げられ、かつ、前記引出部が略水平方向内側に折り曲げられた状態で、前記係合突起部が下向きに折り曲げられて、前記略筒状部の係合孔に係合することにより、前記引出部の、前記帯状部との境界をなす折り曲げ線（稜線）の両端部と、前記係合突起部が形成された部分を頂点とする三角形部分が補強部材としての機能を果たすことにより、全体が所定形状に保持されるように構成されているとともに、
前記引出部が、上方から被包装物を載置して、前記底面支持部，端面保持部，及び側面保持部に保持させる場合に、被包装物が所定の位置に載置されることを妨げないような形状に構成されていること
を特徴としている。
【０００８】
本願発明の紙製緩衝材は、一対の辺側に、緩衝材本体部を構成する紙製ボード材料の一部を折り曲げ加工することにより略筒状部を形成して一対の側面保持部とするとともに、紙製ボード材料から形成した底面支持部及び端面保持部を緩衝材本体部に取り付け、さらに、他方の一対の辺側に、緩衝材本体部を構成する紙製ボード部材の一部である一対の帯状部を略垂直方向上向きに折り曲げることにより一対の側壁部を形成するとともに、帯状部の略中央部から両端部にかけて、帯状部の幅方向に突出する、平面形状が略三角形の一対の引出部を形成し、帯状部が略垂直方向上向きに折り曲げられ、かつ、引出部が略水平方向内側に折り曲げられた状態で、係合突起部を下向きに折り曲げて略筒状部の係合孔に係合させることにより、引出部と帯状部の境界をなす折り曲げ線（稜線）の両端部と、係合突起部が形成された部分を頂点とする三角形部分が補強部材としての機能を果たすようにして、全体が所定形状に保持されるようにするとともに、引出部の形状を、上方から被包装物を載置する際に、被包装物の載置動作を妨げない（干渉しない）ような形状としているので、廃棄処理される際に公害を発生するおそれのある樹脂を用いることなく、紙製ボード状材料を用いてなり、少ない部材で被包装物を容易かつ確実に包装して、被包装物を衝撃から保護することが可能な紙製緩衝材を提供することが可能になる。
また、本願発明の紙製緩衝材は、略ボード状で、体積が小さく、保管性、運搬性に優れている。
【０００９】
また、請求項２の紙製緩衝材は、前記底面保持部及び前記端面保持部がいずれも、少なくとも一部が紙製ボード状材料を複数枚積み重ねることにより形成されており、かつ、前記底面保持部の、被包装物の底面の４つのコーナー部近傍領域と当接する各部分、及び前記端面保持部の、被包装物の一方の端面の下側両コーナー部近傍領域と、他方の端面の下側両コーナー部近傍領域と当接する各部分が、前記緩衝材本体部とは別体として形成され、前記緩衝材本体部の所定の位置に取り付けられていることを特徴としている。
【００１０】
底面保持部及び端面保持部について、少なくとも一部を紙製ボード状材料を複数枚積み重ねることにより形成し、緩衝材本体部に取り付けるようにした場合、複雑な製造工程を必要とすることなく、紙製ボード状材料を用いて、十分な衝撃緩衝性を備え、しかも、少ない部材で被包装物を容易かつ確実に包装して、被包装物を衝撃から保護することが可能な紙製緩衝材を提供することが可能になる。
【００１１】
また、請求項３の紙製緩衝材は、前記紙製ボード状材料が段ボール紙であることを特徴としている。
【００１２】
紙製ボード状材料として、段ボール紙を用いることにより、軽量で、所望の衝撃緩衝特性を備えた紙製緩衝材を構成することができるようになり、本願発明をより実効あらしめることができる。ただし、本願発明においては、段ボール紙以外の紙製ボード状材料を用いることも可能であり、例えば、古紙原料を解繊した後、バインダーを添加して所定の形状に成形した古紙ボードなどを用いることも可能である。
【００１３】
また、本願発明（請求項４）の包装構造は、
被包装物を支持するとともに、被包装物の底面側を保護する底面側緩衝材と、被包装物の上面側に配設されて、被包装物の上面側を保護する上面側緩衝材とを用い、前記底面側緩衝材と前記上面側緩衝材との間に被包装物を挟み込むようにして保持する包装構造であって、
前記底面側緩衝材として、請求項１〜３のいずれかに記載の紙製緩衝材を用いること
を特徴としている。
【００１４】
本願発明の紙製緩衝材を、被包装物の底面側を保護する底面側緩衝材として用い、被包装物を、底面側緩衝材と上面側緩衝材との間に挟み込んで保持することにより、少ない部材で、緩衝性に優れた信頼性の高い包装を行うことが可能になる。
【００１５】
なお、上面側緩衝材としては、特に制約はなく、従来から用いられている種々の材料からなるものを用いることが可能であるが、公害問題などを引き起こさないようにするための見地からは、紙製ボード状材料などの紙系の材料からなるものを用いることが望ましい。
【００１６】
また、請求項５の包装構造は、前記上面側緩衝材として、請求項１〜３の紙製緩衝材と略上下対称構造を有する紙製緩衝材を用いることを特徴としている。
【００１７】
上面側緩衝材として、本願発明の紙製緩衝材と略上下対称構造を有する紙製緩衝材を用いることにより、被包装物の上面側からの衝撃に対する緩衝性を向上させることが可能になり、さらに信頼性の高い包装を行うことが可能になる。
なお、上面側緩衝材として、本願発明の紙製緩衝材と略上下対称構造を有する紙製緩衝材を用いるとは、具体的な寸法や細部の形状までが略上下対称構造を有していることを意味する狭い概念ではなく、構成として、上下対称の構造を有していることを意味する広い概念である。
【００１８】
また、請求項６の包装構造は、前記底面側緩衝材と前記上面側緩衝材の間に被包装物を挟み込み、締結部材により締結したことを特徴としている。
【００１９】
底面側緩衝材と上面側緩衝材の間に被包装物を挟み込み、締結部材により締結することにより、特に容器などを用いることなく、底面側緩衝材と上面側緩衝材と締結部材により、被包装物を確実に包装することが可能になる。
【００２０】
【発明の実施の形態】
図１は本願発明の一実施形態にかかる紙製緩衝材を用いたガス給湯器（被包装物）の包装構造を示す分解斜視図、図２は図１の包装構造に用いられている本願発明の一実施形態にかかる紙製緩衝材の構成を示す斜視図、図３は図２の紙製緩衝材を構成する緩衝材本体部（紙製ボード材料）を展開した状態を示す図である。
【００２１】
図１に示すように、この実施形態における被包装物Ａは、ガスを燃料として湯沸かし・給湯を行うガス給湯器であって、このガス給湯器Ａの一方の端面には、ガス配管を接続するガス接続口３１、水供給用配管を接続する給水口３２、加熱された湯を供給する給湯口３３などが配設されており、さらに、同じ端面からは電源コード３４が引き出されている。
なお、この実施形態では、ガス給湯器Ａは、梱包用シート３５により被覆された状態で包装されるように構成されている。
【００２２】
また、この実施形態の包装構造においては、ガス給湯器Ａの底面側を保持する底面側緩衝材１と、ガス給湯器Ａの上面側に配設されて、ガス給湯器Ａの上面側を保護する上面側緩衝材２１が用いられており、底面側緩衝材１と上面側緩衝材２１との間にガス給湯器Ａが挟み込まれるように構成されている。
【００２３】
そして、底面側緩衝材１として、本願発明の一実施形態にかかる紙製緩衝材が用いられている。すなわち、この底面側緩衝材１は、図２に示すように、ガス給湯器Ａを底面側から保持するとともに、ガス給湯器Ａに加わる衝撃を緩衝する機能を果たすものであって、紙製ボード状材料（この実施形態では段ボール紙）から形成されており、底面を構成するボード状の緩衝材本体部２と、ガス給湯器Ａの底面の４つのコーナー部近傍領域と当接して、合計４箇所でガス給湯器Ａを底面側から支持する底面支持部３と、ガス給湯器Ａの両端面の下側両コーナー部近傍領域と当接して、一方の端面２箇所と他方の端面２箇所の４箇所で、ガス給湯器Ａを端面側から保持する端面保持部４と、ガス給湯器Ａの両側面の下部領域と当接して、ガス給湯器Ａを側面側から保持する一対の側面保持部５を備えている。
【００２４】
さらに詳しく説明すると、この底面側緩衝材（紙製緩衝材）１は、図１，２，３に示すように、互いに対向する一対の辺側に、緩衝材本体部２を構成する紙製ボード材料２ａ（図３）の一部を所定の折り曲げ線Ｌ（図３）に沿って折り曲げ加工することにより形成された、側面保持部５（図１，２）として機能する一対の略筒状部６（図１，２）が配設されているとともに、略筒状部６には、スリット状の孔（係合孔）７（図２，３）が形成されている。
【００２５】
また、この実施形態では、それぞれ４つの底面支持部３及び端面保持部４は、それぞれ紙製ボード材料を積み重ねることにより形成されており、接着剤を介して緩衝材本体部２に取り付けられている。なお、底面支持部３及び端面保持部４は一体として形成することも可能であり、また、それぞれ別体として形成することも可能である。
【００２６】
そして、略筒状部６と略直交する、互いに対向する他方の一対の辺側には、緩衝材本体部２を構成する紙製ボード部材２ａの一部である一対の帯状部８を略垂直方向上向きに折り曲げることにより一対の側壁部９が形成されており、さらに、この一対の帯状部８のそれぞれの略中央部から両端部にかけては、帯状部８の幅方向に突出する、平面形状が略三角形の一対の引出部１０が形成されているとともに、各引出部１０の先端側には、帯状部８の長手方向外側に向かって突出した係合突起部１１が形成されており、図１，２に示すように、帯状部８が略垂直方向上向きに折り曲げられ、かつ、引出部１０が略水平方向内側に折り曲げられた状態で、係合突起部１１が下向きに折り曲げられて、一対の辺を構成する略筒状部６の係合孔７に係合することにより、引出部１０の、帯状部８との境界をなす折り曲げ線（稜線）の両端部Ｘ，Ｙと、係合突起部１１が形成された部分Ｚを頂点とする三角形部分１０ａ（図２，３）が補強部材としての機能を果たすことにより、全体が所定形状に保持されるように構成されている。
【００２７】
また、引出部１０は、上方からガス給湯器Ａを載置して、底面支持部３，端面保持部４，及び側面保持部５に保持させるにあたって、ガス給湯器Ａを底面側緩衝材１上に載置する際の動作を妨げない（干渉しない）ような寸法、形状を有している。すなわち、引出部１０が略三角形の形状を有しており、ガス給湯器Ａを底面側緩衝材１上に載置する際の動作が妨げられないように構成されている。
【００２８】
また、この実施形態では、上面側緩衝材２１として、段ボール紙を用いて形成され、上述の底面側緩衝材１と略上下対称構造を有する緩衝材が用いられている。なお、上面側緩衝材２１としては、ガス給湯器の上面に対応する形状を有する種々の構成のものを用いることが可能である。
【００２９】
また、この実施形態においては、上述のように構成された底面側緩衝材１と上面側緩衝材２１を用い、図４に示すように、底面側緩衝材１と上面側緩衝材２１の間にガス給湯器Ａを挟み込んで保持することにより、ガス給湯器Ａの基本的な包装が行われる。
【００３０】
そして、上述のようにして、底面側緩衝材１と上面側緩衝材２１の間に保持されたガス給湯器Ａを、図５に示すように、底面側緩衝材１と上面側緩衝材２１とともに、例えば、ポリエチレン製のバンド（締結部材）２２により締結することにより、包装が完了する。上述のように包装されたガス給湯器Ａは、底面側緩衝材１と上面側緩衝材２１により保持され、バンド２２により締結された状態で、搬送や保管に供されることになる。
【００３１】
また、図６は本願発明の包装構造の他の例を示す図であり、底面側緩衝材１と上面側緩衝材２１の間に保持されたガス給湯器Ａを、ダンボール紙などからなる容器（箱）２３に収納するようにしている。このように、底面側緩衝材１と上面側緩衝材２１の間に保持されたガス給湯器Ａを、箱状の容器に収納する代わりに、袋状の容器に収納することも可能である。
また、上述のように、バンド２２で締結された状態で容器に収納することも可能である。
【００３２】
なお、図５に示すように、底面側緩衝材１と上面側緩衝材２１の間にガス給湯器Ａを挟み込んだ状態で、バンド（締結部材）２２により締結するようにした包装構造の場合、容器を必要とすることなく、底面側緩衝材１と上面側緩衝材２１とバンド（締結部材）２２だけでガス給湯器Ａを包装することが可能になり、省資源、低コストの要請によりよく応えることが可能になる。
【００３３】
上記のように構成されたこの実施形態の包装構造によれば、底面側緩衝材１によりガス給湯器Ａの底面側が保護され、上面側緩衝材２１によりガス給湯器Ａの上面側が保持されるため、少ない部材で、緩衝性に優れた信頼性の高い包装を行うことが可能になる。
【００３４】
また、上記実施形態では、引出部１０が、帯状部８の中央から両端部にかけて帯状部８の幅方向に突出するように形成されているが、中央部よりやや両端側の位置から両端部にかけて帯状部８の幅方向に突出するように形成する（すなわち一方の辺側の一対の引出部間にある程度の間隔があるような態様で引出部を形成する）ことも可能である。
【００３５】
なお、上記実施形態では、被包装物がガス給湯器である場合を例にとって説明したが、本願発明を適用することが可能な被包装物はこれに限られるものではなく、例えば、ガス加熱調理器など、その他の種々の被包装物を包装する場合に広く本願発明を適用することが可能である。
【００３６】
本願発明は、その他の点においても上記実施形態に限定されるものではなく、紙製緩衝材の具体的な形状や細部の構造（特に引出部の寸法や形状）などに関し、発明の要旨の範囲内において、種々の応用、変形を加えることが可能である。
【００３７】
【発明の効果】
上述のように、本願発明（請求項１）の紙製緩衝材は、一対の辺側に、緩衝材本体部を構成する紙製ボード材料の一部を折り曲げ加工することにより略筒状部を形成して一対の側面保持部とするとともに、紙製ボード材料から形成した底面支持部及び端面保持部を緩衝材本体部に取り付け、さらに、他方の一対の辺側に、緩衝材本体部を構成する紙製ボード部材の一部である一対の帯状部を略垂直方向上向きに折り曲げることにより一対の側壁部を形成するとともに、帯状部の略中央部から両端部にかけて、帯状部の幅方向に突出する、平面形状が略三角形の一対の引出部を形成し、帯状部が略垂直方向上向きに折り曲げられ、かつ、引出部が略水平方向内側に折り曲げられた状態で、係合突起部を下向きに折り曲げて略筒状部の係合孔に係合させることにより、引出部と帯状部の境界をなす折り曲げ線（稜線）の両端部と、係合突起部が形成された部分を頂点とする三角形部分が補強部材としての機能を果たすようにして、全体が所定形状に保持されるようにするとともに、引出部の形状を、上方から被包装物を載置する際に、被包装物の載置動作を妨げない（干渉しない）ような形状としているので、廃棄処理される際に公害を発生するおそれのある樹脂を用いることなく、紙製ボード状材料を用いてなり、少ない部材で被包装物を容易かつ確実に包装して、被包装物を衝撃から保護することが可能で、しかも、体積が小さく、保管性、運搬性に優れたた紙製緩衝材を提供することが可能になる。
【００３８】
また、請求項２の紙製緩衝材のように、底面保持部及び端面保持部について、少なくとも一部を紙製ボード状材料を複数枚積み重ねることにより形成し、緩衝材本体部に取り付けるようにした場合、複雑な製造工程を必要とすることなく、紙製ボード状材料を用いて、十分な衝撃緩衝性を備え、しかも、少ない部材で被包装物を容易かつ確実に包装して、被包装物を衝撃から保護することが可能な紙製緩衝材を提供することができるようになる。
【００３９】
また、請求項３の紙製緩衝材のように、紙製ボード状材料として、段ボール紙を用いた場合、軽量で、所望の衝撃緩衝特性を備えた紙製緩衝材を構成することができるようになり、本願発明をより実効あらしめることができる。ただし、本願発明においては、段ボール紙以外の紙製ボード状材料を用いることも可能であり、例えば、古紙原料を解繊した後、バインダーを添加して所定の形状に成形した古紙ボードなどを用いることも可能である。
【００４０】
また、本願発明（請求項４）の包装構造は、本願発明の紙製緩衝材を、被包装物の底面側を保護する底面側緩衝材として用い、被包装物を、底面側緩衝材と上面側緩衝材との間に挟み込んで保持するようにしているので、少ない部材で、緩衝性に優れた信頼性の高い包装を行うことが可能になる。
【００４１】
また、請求項５の包装構造のように、上面側緩衝材として、請求項１〜３の紙製緩衝材と略上下対称構造を有する紙製緩衝材を用いるようにした場合、被包装物の上面側からの衝撃に対する緩衝性を向上させることが可能になり、さらに信頼性の高い包装を行うことが可能になる。
【００４２】
また、請求項６の包装構造のように、底面側緩衝材と上面側緩衝材の間に被包装物を挟み込み、締結部材により締結することにより、特に容器などを用いることなく、底面側緩衝材と上面側緩衝材と締結部材とにより、被包装物を確実に包装することが可能になる。
【図面の簡単な説明】
【図１】本願発明の一実施形態にかかる紙製緩衝材を用いたガス給湯器（被包装物）の包装構造を示す分解斜視図である。
【図２】図１の包装構造に用いられている、本願発明の一実施形態にかかる紙製緩衝材の構成を示す斜視図である。
【図３】図２の紙製緩衝材を構成する緩衝材本体部（紙製ボード材料）を展開した状態を示す図である。
【図４】本願発明の包装構造の基本的な構成を示す図であり、ガス給湯器を底面側緩衝材と上面側緩衝材により挟み込んで保持した状態を示す図である。
【図５】本願発明の包装構造を示す図であって、ガス給湯器を底面側緩衝材と上面側緩衝材の間に挟み込んで、バンド（締結部材）により締結した状態を示す図である。
【図６】本願発明の包装構造の他の例を示す図であって、底面側緩衝材と上面側緩衝材の間に挟み込んだガス給湯器を、容器に収納するようにした包装構造を示す図である。
【図７】従来の包装構造の一例を示す分解斜視図である。
【符号の説明】
Ａ          ガス給湯器（被包装物）
Ｌ          折り曲げ線
Ｘ，Ｙ，Ｚ  三角形部分の頂点
１          底面側緩衝材（紙製緩衝材）
２          緩衝材本体部
２ａ        紙製ボード材料
３          底面支持部
４          端面保持部
５          側面保持部
６          略筒状部
７          係合孔
８          帯状部
９          側壁部
１０        引出部
１０ａ      引出部の三角形部分
１１        係合突起部
２１        上面側緩衝材
２２        バンド（締結部材）
２３        容器
３１        ガス接続口
３２        給水口
３３        給湯口
３４        電源コード
３５        梱包用シート
【図１】
0004398053.tif 000002
【図２】
0004398053.tif 000003
【図３】
0004398053.tif 000004
【図４】
0004398053.tif 000005
【図５】
0004398053.tif 000006
【図６】
0004398053.tif 000007
【図７】
0004398053.tif 000008